(57)【特許請求の範囲】
【請求項１】
埋設物の埋設箇所を標示するために、上記埋設物の上部に埋設されて設置される埋設物標示装置であって、
帯状の本体部と、
上記本体部上に、長手方向に所定間隔をおいて立設され、弾性材料で形成された複数の標示部材とを備え、
上記本体部および上記標示部材の下部が埋設されて使用され、
上記本体部の底面には、長手方向に所定間隔をおいて下方に突出した複数の突出部材がさらに配設されている
ことを特徴とする埋設物標示装置。
【請求項２】
上記本体部の両側面には、所定間隔をおいて複数の板状の安定部材がさらに配設されている
ことを特徴とする請求項１に記載の埋設物標示装置。
【請求項３】
上記本体部には、長手方向に所定間隔をおいて複数の折り曲げ可能部が形成されている
ことを特徴とする請求項１に記載の埋設物標示装置。
【請求項４】
上記本体部上に取り付けられ、上記複数の標示部材を収容する収容部をさらに有しており、
上記収容部は、上記本体部および上記標示部材が埋設された後、取り外し可能である
ことを特徴とする請求項１に記載の埋設物標示装置。
【発明の詳細な説明】
【技術分野】
【０００１】
この発明は、埋設物の埋設箇所を標示する埋設物標示装置に関する。
【０００２】
詳しくは、この発明は、埋設箇所を標示する複数の標示部材が帯状の本体部上の長手方向に所定間隔おきに複数個立設された構成とすることによって、容易に設置を行うことを可能とした埋設物標示装置に係るものである。
【背景技術】
【０００３】
従来、工事等の際に、地中に埋設されているガス管、水道管、電力ケーブル等の埋設物を誤って破損しないように、埋設箇所の地面に杭を打ちつけたり、埋設物の詳細な情報が記された埋設物標示シートを敷いたりして埋設箇所の標示を行っていた。
【０００４】
しかし、杭は歩行者や車輌の通行の妨げになり、抜けやすかった上、設置する際も埋設物に沿って所定間隔をおいて一つ一つ杭を打ち付けなければならず、大変面倒であり、時間を要した。また、杭と杭との間隔が広くなると、その間の埋設物の埋設箇所が不明確になり、杭の一つが破損するようなことがあれば、埋設箇所が分からなくなってしまうことがあった。
【０００５】
また、埋設物標示シートも、時間とともに印刷部分が劣化したり、物が当たって破損したりして埋設箇所が分からなくなってしまうことがあった。
【０００６】
そこで、従来、埋設物の埋設箇所を確実に標示することを可能とした埋設物の標示構造が考案されている。特許文献１には、埋設物の埋設箇所を標示する標示手段が、地面から目視可能な状態で埋設される埋設物の標示構造が記載されている。
【０００７】
【特許文献１】特開平９−３００８７８号公報
【発明の開示】
【発明が解決しようとする課題】
【０００８】
しかし、特許文献１に記載の埋設物の標示構造は、埋設物の埋設箇所を確実に標示することを可能としたものの、依然として標示手段を埋設物の埋設箇所に沿って所定間隔をおいて一つ一つ埋設しなければならず、設置に手間がかかり、容易ではなかった。
【０００９】
この発明の目的は、容易に設置を行うことができる埋設物標示装置を提供することにある。
【課題を解決するための手段】
【００１０】
この発明の概念は、
埋設物の埋設箇所を標示するために、上記埋設物の上部に埋設されて設置される埋設物標示装置であって、
帯状の本体部と、
上記本体部上に、長手方向に所定間隔をおいて立設され、弾性材料で形成された複数の標示部材とを備え、
上記本体部および上記標示部材の下部が埋設されて使用され、
上記本体部の底面には、長手方向に所定間隔をおいて下方に突出した複数の突出部材がさらに配設されている
ことを特徴とする埋設物標示装置にある。
【００１１】
この発明において、埋設物とは、例えば、地中に埋設されているガス管、水道管、電力ケーブル等である。帯状の本体部は、例えば、合成樹脂で構成されており、埋設物の上部に、埋設物の埋設方向に対応して埋設される。
【００１２】
この本体部上、つまり本体部の上面には、長手方向に所定間隔をおいて、複数の標示部材が立設されている。標示部材は、例えば、棒状の部材であり、折り曲げが可能な、例えば、ポリエチレン等の弾性材料で形成されている。これら標示部材の下部は、本体部とともに地中に埋設され、上部だけが地表に突出して現れ、地上から目視可能な状態となる。
【００１３】
このように、標示部材の上部が地表から突出した状態ではあるが、標示部材は弾性材料で形成されているため、歩行者や車輌の通行があっても、容易に折り曲がるので通行を妨げることがない上、本体部に立設されているので、抜けてしまうおそれもない。また、標示部材は予め本体部の長手方向に沿って所定間隔をおいて連続して立設されているので、一つ一つ埋設物の埋設方向に対応してピンポイントに埋め込む必要性がなく、手間をかけることなく容易に設置を行うことができる。
【００１４】
上述したように、本体部は帯状の部材であるので、直線状に埋設された埋設物の上部に設置する際は、埋設物に平行に、埋設物の埋設方向に対応して直線状に設置することができる。そこで、埋設物が、直線状に埋設されていない場合、例えば、カーブして埋設されているような場合でも、埋設物の方向に沿って設置を行うことができるように、本体部を折り曲げ可能な構成としてもよい。
【００１５】
例えば、本体部に、折り曲げ可能な折り曲げ可能部を形成する。この折り曲げ可能部を、本体部の長手方向に所定間隔をおいて複数箇所形成することで、埋設物が直線状に埋設されていない場合でも、埋設物の方向に対応して折り曲げ可能部を折り曲げれば、埋設物の埋設方向に対応して容易に設置を行うことが可能となる。
【００１６】
また、埋設物標示装置は、歩行者や車輌の通行による標示部材への接触や振動等によって、地中でずれたりして、本体部が地表に露呈してしまったり、標示部材が全て地中に埋設されてしまうおそれがある。
【００１７】
そこで、本体部の底面に、下方に突出した突出部材を配設してもよい。突出部材は、例えば、本体部の長手方向に沿って、所定間隔をおいて複数個配設される。これらの突出部材はいずれも埋設物に接触することなく地中を突き刺すようにして設置され、本体部が地中で動くことがないように固定する。
【００１８】
また、上述した突出部材の代わりに、あるいは、この突出部材とともに、本体部側面に、板状の安定部材を配設してもよい。安定部材は、本体部の両側面に、長手方向にそれぞれ所定間隔をおいて複数個配設される。これら複数個の安定部材が配設されることによって、突出部材と同様に、本体部を安定して設置することが可能となる。
【００１９】
このように、本体部に突出部材または安定部材が配設されることで、本体部が歩行者や車輌の通行によって地中で動いたり、標示部材が倒れてしまったりするおそれを軽減することができる。また、本体部に突出部材および安定部材の双方を配設するようにすれば、より一層本体部の安定性を図ることが可能となる。
【００２０】
埋設物標示装置を設置する際、ユーザは本体部を埋設物の上部に設置した後、本体部および標示部材の下部を、例えば、砂利を用いて埋設する。標示部材は、上述したように、弾性材料で形成されているため、埋設する際に砂利の重みによって折れ曲がってしまうことが考えられる。標示部材が折れ曲がった状態で地中に埋設されてしまうと、地上から目視ができなくなってしまうおそれがあるため、埋設物標示装置の標示部材が折れ曲がることを防止するために、設置の際に収容部を用いるようにしてもよい。
【００２１】
収容部は、本体部に立設された標示部材を収容するものであり、本体部上に取り付けられている。
【００２２】
埋設物標示装置を埋設する際に、まず、本体部を埋設物の上部に設置し、本体部に収容部が取り付けられたまま、本体部および標示部材の下部が埋設されるように砂利を敷き、この後収容部を上方向に持ち上げて取り外すようにすれば、砂利が標示部材の本体部、標示部材の最下部から徐々に標示部材の下部を覆うので、標示部材が砂利の重みによって折り曲がることなく、標示部材の上部が地表に突出した状態で埋設物標示装置を容易に設置することが可能となる。
【発明の効果】
【００２３】
この発明によれば、埋設箇所を標示する複数の標示部材が帯状の本体部上に立設された構成とするものであり、容易に設置を行うことが可能となる。
【発明を実施するための最良の形態】
【００２４】
以下、図面を参照しながら、この発明の実施の形態について説明する。
【００２５】
図１は、この発明の実施の形態としての、埋設物標示装置１００の構成を示す図である。なお、図１に示す埋設物標示装置１００は、土部および砂利からなる地中に埋設されて設置された状態にある。
【００２６】
図１に示すように、土部には埋設物としての、例えば、電力ケーブル２００が直線状に埋設されている。電力ケーブル２００は、例えば、地表から１２００ｍｍ（車輌が通行しない場合は６００ｍｍ）の深さの位置に埋設されている。埋設物標示装置１００の本体部１０は、例えば、合成樹脂で構成されており、この電力ケーブル２００の上部に、電力ケーブル２００の埋設方向に対応して埋設されている。
【００２７】
また、図１に示すように、帯状の本体部１０の上面には、複数の標示部材２０が本体部１０の長手方向に沿って所定間隔（例えば５０ｃｍ）をおいて立設された構成となっている。標示部材２０は、例えば、棒状の部材であり、下部が砂利で埋設され、上部だけが地表から突出し、地上から目視可能な状態である。これら複数の標示部材２０は、地中に埋設された電力ケーブル２００の埋設箇所、および電力ケーブル２００が埋設された方向を標示している。
【００２８】
このように、標示部材２０が所定間隔をおいて予め本体部１０上に立設されているので、ユーザは一つ一つ標示部材２０を埋設する必要はなく、本体部１０を電力ケーブル２００の埋設方向に対応して設置して複数の標示部材２０を同時に埋設できるので、手間がかからない。また、標示部材２０の埋設間隔を短くしたい場合（例えば、１０ｃｍ間隔）であっても、予め本体部１０に立設される標示部材２０の間隔を縮めるだけでよい。
【００２９】
また、標示部材２０は、容易に折り曲げることが可能なポリエチレン等の弾性材料で形成されている。したがって、図１に示すように、標示部材２０の上部が地表から突出した状態で埋設されていたとしても、歩行者や車輌の通行の邪魔になることがない上、本体部１０上に立設されているので、歩行者や車輌に強く接触したとしても抜け落ちてしまうおそれがない。
【００３０】
図１に示すように、本体部１０の底面には、突出部材としての複数本の杭３０が、長手方向に沿って所定間隔（例えば５０ｃｍ）をおいて配設されており、下方に突出している。また、杭３０の先端部は、地中に突き刺しやすいように円錐状に形成されている。
【００３１】
さらに、本体部１０の長手方向の両側面には、安定部材としての安定板４０が取り付けられている。図２は、埋設物標示装置１００の上面図である。
【００３２】
本体部１０の長手方向の両側面には、それぞれ複数の安定板４０が、所定間隔をおいて、例えば、図２に示すように、安定板４０は、標示部材２０の立設間隔に対応して配設されている。図２においては、本体部１０上の、標示部材２０が配設された位置に対応した側面の位置に、２つの安定板４０が本体部１０を挟むようにして配設されている。
【００３３】
このように、杭３０が本体部１０の底面に所定間隔をおいて連続して配設されるとともに、安定板４０が本体部１０の長手方向の両側面に所定間隔をおいて連続して配設されることで、本体部１０を地中に安定して固定することができる。したがって、歩行者や車輌の通行による標示部材２０への接触や、強い振動等があっても、本体部１０が地中を動くことがないので、標示部材２０が倒れてしまうおそれがない。
【００３４】
また、本体部１０には、長手方向に所定間隔をおいて、例えば、図２に示すように、杭３０（破線図示）の配設位置に対応して、折り曲げ可能部としてのくびれ部１１が形成されている。くびれ部１１は、両側面に、互いに向かい合う位置が凹状に切り欠かれて幅狭に形成されている。くびれ部１１は、例えば、柔軟な金属で構成されており、容易に折り曲げが可能な構成とされる。
【００３５】
図３は、くびれ部１１が折り曲げられた埋設物標示装置１００の上面図である。このように、電力ケーブル２００が直線状に設置されていない場合、例えば、電力ケーブル２００が地中の他のケーブルに接触しないよう避けるためにカーブして埋設されているような場合でも、くびれ部１１を折り曲げるだけで、本体部１０を容易に電力ケーブル２００の埋設方向に対応させて設置することができる。
【００３６】
標示部材２０は、上述したように、弾性材料で形成されているので、後述するが、埋設物標示装置１００を埋設する際に、標示部材２０が砂利の重みによって折れ曲がり、折れ曲がったまま埋設されてしまうおそれがある。そこで、埋設物標示装置１００の設置の際に、標示部材２０が折れ曲がることなく埋設し得るように、ケース５０をさらに有するようにしてもよい。
【００３７】
図４は、本体部１０に収容部としてのケース５０が取り付けられた埋設物標示装置１００を示す図である。この図４において、図１と対応する部分には同一符号を付して示す。ケース５０は筒状であり、本体部１０に密着に取り付けられて、図４に示すように、標示部材２０をケース５０内に収容する。また、ケース５０の高さは、標示部材２０の高さに対応している。
【００３８】
さらに、図示しないが、ケース５０が取り付けやすいように、本体部１０上にケース５０に対応した溝が形成されていてもよい。このような溝を形成することで、ケース５０が左右方向にずれることを防止することができる。
【００３９】
図５は、ケース５０が取り付けられた埋設物標示装置１００の上面図である。図５に示すように、ケース５０の幅は標示部材２０の直径に対応して形成されており、標示部材２０を挟むようにして収容している。また、ケース５０の長手方向の両側面のうち、外部側面の上部には、ユーザが把持しやすいように、溝状の滑り止め５１が設けられている。
【００４０】
図６は、電力ケーブル２００が埋設されてから、ケース５０付きの埋設物標示装置１００を用いて、この埋設物標示装置１００のみが設置されるまでの手順を示した図である。なお、図６のステップ１〜ステップ４に示す図は、埋設物標示装置１００および地中の断面図である。
【００４１】
まず、ステップ１で電力ケーブル２００を土部に埋設した後、ステップ２で、土部上にケース５０付きの埋設物標示装置１００を取り付ける。また、本体部１０の底面に配設された杭３０を下方向に突き刺すとともに、安定板４０を用いて本体部１０を支えて、本体部１０が移動しないように固定する。このとき、本体部１０上にはケース５０が取り付けられ、標示部材２０がケース５０内に収容された状態となっている。
【００４２】
次に、ステップ３で、標示部材２０がケース５０に収容された状態で砂利が土部上に敷かれる。本体部１０およびケース５０の下部が砂利部に埋設されるが、図５に示すように、ケース５０は標示部材２０を収容しているため、ケース５０内に砂利が入ることはほとんどない。標示部材２０の上部およびケース５０の上部は地表から突出した状態となる。
【００４３】
ステップ４では、ユーザによってケース５０の上部に取り付けられた滑り止め５１が把持されて、ケース５０が本体部１０から取り外され、砂利部から地上へと取り出される。ケース５０を取り出すとともに砂利が標示部材２０の最下部、つまり、標示部材２０と本体部１０との境から徐々に標示部材２０の下部を覆っていくので、標示部材２０の上部を砂利が覆うことがなく、標示部材２０が折れ曲がった状態で埋設されることがない。このように、本体部１０を標示部材２０の上部が地表に突出した状態で埋設することが可能となる。
【００４４】
また、収容部として、ケース５０の代わりに標示部材収容シート６０を用いるようにしてもよい。図７は、標示部材収容シート６０の上面図である。また、図８は、標示部材収容シート６０が取り付けられた本体部１０の上面図である。
【００４５】
図７に示すように、標示部材収容シート６０は、例えば合成樹脂で構成されたシート６０Ａおよびシート６０Ｂからなる。シート６０Ａには所定間隔ごとに凸部６０ａが設けられており、また、シート６０Ｂにはシート６０Ａの凸部６０ａに対応した凹部６０ｂが所定間隔ごとに設けられている。
【００４６】
図８に示すように、シート６０Ａおよびシート６０Ｂが向かい合うように本体部１０に取り付ける。この場合も、ケース５０と同様に、シート６０Ａ，６０Ｂが左右方向にずれないように図示しない溝にそれぞれ取り付けられるようにしてもよい。次に、シート６０Ａおよびシート６０Ｂで標示部材２０を挟んだ後、各凸部６０ａをそれぞれ対応する各凹部６０ｂに嵌め込むことによって、標示部材２０をぴったりと収容する。
【００４７】
したがって、図５のステップ３で砂利が敷かれる際に、砂利の重みによって標示部材２０が倒れてしまうことがなく、砂利を敷いた後、ケース５０と同様にこの標示部材収容シート６０を本体部１０から取り外して地上に取り出すようにすれば、標示部材２０の上部だけが地表に突出した状態で埋設することができる。
【００４８】
また、標示部材収容シート６０はシート６０Ａおよびシート６０Ｂからなり、凸部６０ａを凹部６０ｂに嵌め込むことで互いに接着するようになっている。シート６０Ａ，６０Ｂを適当な長さに切断しても、埋設された電力ケーブル２００の長さに左右されることなく収容部として使用することが可能である。
【００４９】
なお、上述の実施の形態においては、本体部１０に安定板４０と杭３０の双方を配設するようにしたが、本体部１０を安定して地中に設置することができるのであれば、いずれか一方のみ配設されていてもよい。
【００５０】
また、上述の実施の形態においては、図２に示すように、杭３０およびくびれ部１１が互いに対応する位置に配設されるようにしたが、くびれ部１１と杭３０が交互に配設されるようにしてもよい。
【００５１】
また、上述の実施の形態においては、標示部材を棒状の部材としたが、地表から突出する先端部が放射状に割れた形状としてもよい。先端部をこのような形状とすることで、作業担当者や通行人によってより目に留まりやすくなる。
【００５２】
また、上述の実施の形態においては、埋設物を電力ケーブル２００としたが、これに限定されることはなく、通信ケーブル、上下水道管、ガス管等であってもよい。
【産業上の利用可能性】
【００５３】
この発明は、埋設物の埋設箇所を標示する埋設物標示装置の設置を容易とするものであり、地中に埋設された電力ケーブル等の埋設物の埋設箇所を標示する際に適用することができる。
【図面の簡単な説明】
【００５４】
【図１】埋設物標示装置１００の構成を示した図である。
【図２】埋設物標示装置１００の上面図である。
【図３】くびれ部１１が折り曲げられた埋設物標示装置１００の上面図である。
【図４】本体部１０上にケース５０が取り付けられた埋設物標示装置１００を示す図である。
【図５】本体部１０上にケース５０が取り付けられた埋設物標示装置１００の上面図である。
【図６】埋設物標示装置１００の設置手順を示した図である。
【図７】標示部材収容シート６０の上面図である。
【図８】本体部１０上に標示部材収容シート６０が取り付けられた埋設物標示装置１００の上面図である。
【符号の説明】
【００５５】
１０・・・本体部、１１・・・くびれ部、２０・・・標示部材、３０・・・杭、４０・・・安定板、５０・・・ケース、５１・・・滑り止め、６０・・・標示部材収容シート、６０Ａ，６０Ｂ・・・シート、６０ａ・・・凸部、６０ｂ・・・凹部、１００・・・埋設物標示装置、２００・・・電力ケーブル
【図１】
0004767066.tif 000002
【図２】
0004767066.tif 000003
【図３】
0004767066.tif 000004
【図４】
0004767066.tif 000005
【図５】
0004767066.tif 000006
【図６】
0004767066.tif 000007
【図７】
0004767066.tif 000008
【図８】
0004767066.tif 000009